(57)【要約】【課題】膜閉塞の発生を抑制しつつ膜分離式好気性生物処理における発泡を効果的に抑制し、さらに不測の発泡の発生に対しても消泡剤を過剰添加することなく発泡を抑制して安定運転を実現する。【解決手段】膜分離式好気性生物処理槽内の発泡を抑制する方法において、該処理槽に、消泡剤として、下記式（１）で表されるポリオキシアルキレンモノアルキルエーテルを主成分とするアルコール系自己乳化型消泡剤と、アルコール系エマルション型消泡剤とを添加する発泡抑制方法。    Ｒ１−Ｏ−（Ｒ２Ｏ）ｎ−Ｈ    …（１）（式（１）中、Ｒ１は炭素数１２〜１８のアルキル基、Ｒ２は炭素数２〜４のアルキレン基、ｎは５〜３０の数である。複数のＲ２は互いに同一であってもよく異なるものであってもよい。）【選択図】図１
2019181334.tif 000002
【特許請求の範囲】
【請求項１】
膜分離式好気性生物処理槽に消泡剤を添加して該処理槽内の発泡を抑制する方法において、消泡剤として、下記式（１）で表されるポリオキシアルキレンモノアルキルエーテルを主成分とするアルコール系自己乳化型消泡剤と、アルコール系エマルション型消泡剤とを添加することを特徴とする発泡抑制方法。
Ｒ１−Ｏ−（Ｒ２Ｏ）ｎ−Ｈ    …（１）
（式（１）中、Ｒ１は炭素数１２〜１８のアルキル基、Ｒ２は炭素数２〜４のアルキレン基、ｎは５〜３０の数である。複数のＲ２は互いに同一であってもよく異なるものであってもよい。）
【請求項２】
請求項１において、膜分離式好気性生物処理における膜の孔径が０．０１μｍ以上０．１μｍ以下であることを特徴とする発泡抑制方法。
【請求項３】
請求項１又は２において、各消泡剤の前記処理槽内濃度（ｋｇ−ＣＯＤＣｒ／ｍ３−槽容積）が、
アルコール系自己乳化型消泡剤：（０．０８〜０．８）×槽内平均汚泥濃度（ｇ−ＳＳ／Ｌ）
アルコール系エマルション型消泡剤：（０．００２〜０．０２）×槽内平均汚泥濃度（ｇ−ＳＳ／Ｌ）
となるようにそれぞれ連続的又は間欠的に添加することを特徴とする発泡抑制方法。
【請求項４】
請求項１〜３のいずれか１項において、各消泡剤の１日あたりの平均添加量（ｋｇ−ＣＯＤＣｒ／ｄ）が
アルコール系自己乳化型消泡剤：（０．０８〜０．８）×槽内平均汚泥濃度（ｇ−ＳＳ／Ｌ）×汚泥引抜量（ｍ３／ｄ）
アルコール系エマルション型消泡剤：（０．００２〜０．０２）×槽内平均汚泥濃度（ｇ−ＳＳ／Ｌ）×汚泥引抜量（ｍ３／ｄ）
となるようにそれぞれ連続的又は間欠的に添加することを特徴とする発泡抑制方法。
【請求項５】
請求項１〜４のいずれか１項において、アルコール系自己乳化型消泡剤を常時添加とし、アルコール系自己乳化型消泡剤を上限添加量まで添加しても、発泡が抑制されないと判定された場合にアルコール系エマルション型消泡剤を添加することを特徴とする発泡抑制方法。
【発明の詳細な説明】
【技術分野】
【０００１】
本発明は、発泡性のある排水の膜分離式好気性生物処理槽に消泡剤を添加して槽内の発泡を抑制する方法において、消泡剤の使用量を削減すると共に、消泡剤の過剰添加による膜閉塞を防止する発泡抑制方法に関する。
本発明の発泡抑制方法は、生活排水、下水、食品工場やパルプ工場をはじめとした広い濃度範囲の有機性排水の膜分離式好気性生物処理に利用することができる。
【背景技術】
【０００２】
膜分離式好気性生物処理、特に、膜式活性汚泥（ＭＢＲ）処理は、汚泥管理が不要で、良好な処理水水質を得ることができるため、運転管理が容易な生物処理とされている。しかしながら、高濃度で汚泥を管理するため、微生物の代謝産物が系内に蓄積し、発泡しやすいことが問題点として挙げられている。
【０００３】
従来、膜分離式好気性生物処理槽内の発泡を抑制するために消泡剤を添加することが行われており、その消泡剤としては、膜を閉塞させにくい、ポリオキシアルキレンモノアルキルエーテル等のアルコール系自己乳化型消泡剤が用いられている（例えば特許文献１）。
【先行技術文献】
【特許文献】
【０００４】
【特許文献１】特開２０１５−１３９７２４号公報
【発明の概要】
【発明が解決しようとする課題】
【０００５】
しかし、消泡剤を添加しても発泡の抑制が不十分なケースがあり、この場合は消泡剤の過剰な添加が必要となり、結果的に膜閉塞を引き起こす場合がある。
【０００６】
本発明は、膜閉塞の発生を抑制しつつ膜分離式好気性生物処理における発泡を効果的に抑制し、さらに不測の発泡の発生に対しても消泡剤を過剰添加することなく発泡を抑制して安定運転を実現する発泡抑制方法を提供することを目的とする。
【課題を解決するための手段】
【０００７】
本発明者は上記課題を解決すべく検討を重ねた結果、消泡剤としてアルコール系自己乳化型消泡剤とアルコール系エマルション型消泡剤とを併用添加することで、少ない消泡剤使用量で膜閉塞を防止した上で発泡を確実に抑制することができることを見出した。
【０００８】
即ち、本発明は以下を要旨とする。
【０００９】
［１］  膜分離式好気性生物処理槽に消泡剤を添加して該処理槽内の発泡を抑制する方法において、消泡剤として、下記式（１）で表されるポリオキシアルキレンモノアルキルエーテルを主成分とするアルコール系自己乳化型消泡剤と、アルコール系エマルション型消泡剤とを添加することを特徴とする発泡抑制方法。
Ｒ１−Ｏ−（Ｒ２Ｏ）ｎ−Ｈ    …（１）
（式（１）中、Ｒ１は炭素数１２〜１８のアルキル基、Ｒ２は炭素数２〜４のアルキレン基、ｎは５〜３０の数である。複数のＲ２は互いに同一であってもよく異なるものであってもよい。）
【００１０】
［２］  ［１］において、膜分離式好気性生物処理における膜の孔径が０．０１μｍ以上０．１μｍ以下であることを特徴とする発泡抑制方法。
【００１１】
［３］  ［１］又は［２］において、各消泡剤の前記処理槽内濃度（ｋｇ−ＣＯＤＣｒ／ｍ３−槽容積）が、
アルコール系自己乳化型消泡剤：（０．０８〜０．８）×槽内平均汚泥濃度（ｇ−ＳＳ／Ｌ）
アルコール系エマルション型消泡剤：（０．００２〜０．０２）×槽内平均汚泥濃度（ｇ−ＳＳ／Ｌ）
となるようにそれぞれ連続的又は間欠的に添加することを特徴とする発泡抑制方法。
【００１２】
［４］  ［１］〜［３］のいずれかにおいて、各消泡剤の１日あたりの平均添加量（ｋｇ−ＣＯＤＣｒ／ｄ）が
アルコール系自己乳化型消泡剤：（０．０８〜０．８）×槽内平均汚泥濃度（ｇ−ＳＳ／Ｌ）×汚泥引抜量（ｍ３／ｄ）
アルコール系エマルション型消泡剤：（０．００２〜０．０２）×槽内平均汚泥濃度（ｇ−ＳＳ／Ｌ）×汚泥引抜量（ｍ３／ｄ）
となるようにそれぞれ連続的又は間欠的に添加することを特徴とする発泡抑制方法。
【００１３】
［５］  ［１］〜［４］のいずれかにおいて、アルコール系自己乳化型消泡剤を常時添加とし、アルコール系自己乳化型消泡剤を上限添加量まで添加しても、発泡が抑制されないと判定された場合にアルコール系エマルション型消泡剤を添加することを特徴とする発泡抑制方法。
【発明の効果】
【００１４】
本発明によれば、消泡剤としてアルコール系自己乳化型消泡剤とアルコール系エマルション型消泡剤とを併用し、それぞれの消泡作用を有効活用することで、膜閉塞を引き起こすことなく、膜分離式好気性生物処理における発泡を確実に抑制して長期にわたり安定運転を行える。
特に、両消泡剤を併用して各消泡剤について膜の差圧に影響を与えない添加量を明確にし、各々を適正量添加することで、界面活性剤が含まれる排水に対する膜分離式好気性生物処理の適用、消泡剤使用量の削減、消泡剤の過剰添加による膜閉塞の防止を図ることができる。
【図面の簡単な説明】
【００１５】
【図１】本発明の発泡抑制方法による膜分離式好気性生物処理槽への消泡剤の薬注方法の一例を示す系統図である。
【図２】本発明の発泡抑制方法による膜分離式好気性生物処理槽への消泡剤の薬注方法の他の例を示す系統図である。
【図３】本発明の発泡抑制方法による膜分離式好気性生物処理槽への消泡剤の薬注方法の別の例を示す系統図である。
【発明を実施するための形態】
【００１６】
以下に本発明の実施の形態を詳細に説明する。
【００１７】
本発明の発泡抑制方法は、膜分離式好気性生物処理槽に消泡剤を添加して該処理槽内の発泡を抑制する方法において、消泡剤として、下記式（１）で表されるポリオキシアルキレンモノアルキルエーテルを主成分とするアルコール系自己乳化型消泡剤と、アルコール系エマルション型消泡剤とを添加することを特徴とする。
Ｒ１−Ｏ−（Ｒ２Ｏ）ｎ−Ｈ    …（１）
（式（１）中、Ｒ１は炭素数１２〜１８のアルキル基、Ｒ２は炭素数２〜４のアルキレン基、ｎは５〜３０の数である。複数のＲ２は互いに同一であってもよく異なるものであってもよい。）
【００１８】
＜メカニズム＞
従来、膜分離式好気性生物処理において使用されている、膜を閉塞させにくいとされるアルコール系自己乳化型消泡剤は、処理系内に蓄積する微生物代謝産物由来の発泡には効果が高いが、界面活性剤由来の発泡には効果が低い。
一方、アルコール系エマルション型消泡剤は界面活性剤の発泡に有効であり、アルコール系自己乳化型消泡剤の１／１００以下の添加量でも発泡を抑制できるが、膜に付着しやすく膜閉塞を引き起こすため、膜分離式好気性生物処理に使用することが困難である。
しかし、アルコール系エマルション型消泡剤は少量で消泡効果が得られるので、主要な消泡処理をアルコール系自己乳化型消泡剤で行い、アルコール系エマルション型消泡剤を必要に応じてごく少量のみ使用することで膜への悪影響を最小限に抑えて安定運転を実現することができる。
【００１９】
例えば、従来の膜式活性汚泥処理では、微生物代謝物が蓄積しやすい膜分離槽に消泡剤が添加されている。前述の通り、ここで添加する消泡剤としては、膜に付着しにくいアルコール系自己乳化型消泡剤が用いられていた。
このときの添加量は、慣習的に１０ｍｇ−消泡剤／Ｌ−原水量以下とされてきた。この上限値は、槽内溶存酸素濃度を下げない（消泡剤が過剰に添加されると散気の気泡が会合し、溶解効率が低下する）ための目安であり、空気量に余裕があれば、添加量はさらに増やすことができる。
しかし、アルコール系自己乳化型消泡剤は界面活性剤由来の発泡には効果が低く、過剰に添加するといずれ膜を閉塞させる。
【００２０】
そこで本発明では、界面活性剤由来の発泡に効果があるアルコール系エマルション型消泡剤を併用し、アルコール系自己乳化型消泡剤の過剰添加を防ぐ。
しかし、アルコール系エマルション型消泡剤は粒子状であり、膜に付着しやすいため、アルコール系エマルション型消泡剤についても添加量の上限を設ける必要がある。そこで、後述のように、添加する各消泡剤の膜分離式好気性生物処理槽内濃度（ｋｇ−ＣＯＤＣｒ／ｍ３−槽容積）の好適範囲を設定する。
【００２１】
＜アルコール系自己乳化型消泡剤＞
自己乳化型の消泡剤とは、それ自体が界面活性剤であって、親油基及び親水基を同一分子内に有し、水に希釈分散（乳化）してエマルションを形成する薬剤である。本発明では、このような自己乳化型の消泡剤として、下記式（１）で表されるポリオキシアルキレンモノアルキルエーテルを主成分とするアルコール系自己乳化型消泡剤を用いる。このポリオキシアルキレンモノアルキルエーテルは、Ｒ１のアルキル基（炭素数１２〜１８）、エーテル結合と、Ｒ２Ｏで表されるオキシアルキレン基（炭素数２〜４）を繰り返し単位とするポリオキシアルキレン基（平均付加モル数５〜３０モル）で構成されるポリエーテル系化合物である。
Ｒ１−Ｏ−（Ｒ２Ｏ）ｎ−Ｈ    …（１）
（式（１）中、Ｒ１は炭素数１２〜１８のアルキル基、Ｒ２は炭素数２〜４のアルキレン基、ｎは５〜３０の数である。複数のＲ２は互いに同一であってもよく異なるものであってもよい。）
【００２２】
上記式（１）で表されるポリオキシアルキレンモノアルキルエーテルとしては、具体的には、ポリオキシエチレンポリオキシプロピレンモノステアリルエーテルのようなポリオキシエチレンポリオキシプロピレンモノアルキルエーテルなどが挙げられる。
本発明において、アルコール系自己乳化型消泡剤は１種のみを用いてもよく、２種以上を併用してもよい。
【００２３】
＜アルコール系エマルション型消泡剤＞
エマルション型消泡剤とは、消泡成分となる水不溶性の物質を乳化剤を用いてエマルションとした薬剤であり、水で希釈可能である。
本発明では、このようなエマルション型消泡剤として、高級アルコール系の消泡成分を主成分とする既知のアルコール系Ｏ／Ｗエマルション型消泡剤を用いる。
本発明に係るアルコール系エマルション型消泡剤の消泡成分として用いられる高級アルコールとしては、炭素数１２〜３０の高級脂肪族アルコールが挙げられ、その炭素数は好ましくは１４〜２８、さらに好ましくは１６〜２６である。このような高級脂肪族アルコールとしては、天然アルコールでは、ラウリルアルコール（１−ドデカノール）、ミリスチルアルコール（１−テトラデカノール）、セチルアルコール（１−ヘキサデカノール）、ステアリルアルコール（１−オクタデカノール）、エイコサノール、ドコサノール、テトラコサノール、ヘキサコサノール、オクタコサノール、ミリシルアルコール等の飽和アルコール、オレイルアルコール等の不飽和アルコールが挙げられ、合成アルコールでは、チーグラー法によりエチレンを重合させるプロセスを経て製造されるチーグラーアルコール、オキソ法により得られるオキソアルコール、天然の植物油脂や動物油脂を高圧還元又はケン化して得られる高級アルコール等が挙げられる。
本発明において、アルコール系エマルション型消泡剤は１種のみを用いてもよく、２種以上を併用してもよい。
【００２４】
＜各消泡剤の添加量＞
本発明において、アルコール系自己乳化型消泡剤及びアルコール系エマルション型消泡剤の添加量は各消泡剤の膜分離式好気性生物処理槽内濃度（ｋｇ−ＣＯＤＣｒ／ｍ３−槽容積）が、以下の範囲となるような添加量とすることが好ましい。
アルコール系自己乳化型消泡剤：（０．０８〜０．８）×槽内平均汚泥濃度（ｇ−ＳＳ／Ｌ）
アルコール系エマルション型消泡剤：（０．００２〜０．０２）×槽内平均汚泥濃度（ｇ−ＳＳ／Ｌ）
【００２５】
ここで、消泡剤製品における消泡成分の濃度は製品ごとに異なるため、本発明ではその添加量の指標をＣＯＤＣｒベースとしている。
消泡剤成分は膜を透過せず、生物分解も受けにくいが、上記添加量の範囲内であれば、消泡剤成分が膜に付着する前に汚泥に定着するものと推定され、膜閉塞させることなく、消泡機能を維持することができる。
【００２６】
アルコール系自己乳化型消泡剤の添加量：０．０８〜０．８ｋｇ−ＣＯＤＣｒ／ｍ３−槽容積、アルコール系エマルション型消泡剤の添加量：０．００２〜０．０２ｋｇ−ＣＯＤＣｒ／ｍ３−槽容積は、槽内汚泥濃度１ｇ−ＳＳ／Ｌ（ＭＬＳＳ＝１０００ｍｇ／Ｌ）の場合の好適値であり、汚泥濃度が上昇すると、上式のとおり、必要添加量は増大する。
【００２７】
また、消泡剤成分は汚泥の引き抜きで系外へ排出されるため、汚泥引き抜き量から、１日あたりの添加量を決定してもよい。この場合、各消泡剤の１日あたりの平均添加量（ｋｇ−ＣＯＤＣｒ／ｄ）は、以下の範囲であることが好ましい。
アルコール系自己乳化型消泡剤：（０．０８〜０．８）×槽内平均汚泥濃度（ｇ−ＳＳ／Ｌ）×汚泥引抜量（ｍ３／ｄ）
アルコール系エマルション型消泡剤：（０．００２〜０．０２）×槽内平均汚泥濃度（ｇ−ＳＳ／Ｌ）×汚泥引抜量（ｍ３／ｄ）
【００２８】
＜消泡剤の薬注方法＞
上述のとおり、アルコール系エマルション型消泡剤の添加量の上限は、アルコール系自己乳化型消泡剤より大幅に小さい。
そこで、アルコール系自己乳化型消泡剤の添加を常時（連続添加または所定時間ごとの間欠添加）とし、同様にアルコール系エマルション型消泡剤の添加を常時とすることもできるし、アルコール系自己乳化型消泡剤の添加のみを常時とし、これで消えない泡が発生した場合のみ（泡の発生時または泡の成長が止まらない状態と判定した時点から）、アルコール系エマルション型消泡剤の添加を開始する制御を採用してもよい。ここで、アルコール系自己乳化型消泡剤の添加で消えない泡の定義は、例えば、アルコール系自己乳化型消泡剤の添加量が上記上限添加量以下、望ましくは上限添加量の５０％添加時、さらに望ましくは３０％添加時点で曝気槽の上方から視認したとき水面が見えていない（全面が泡に覆われている）場合である。
【００２９】
＜消泡剤の薬注位置＞
各消泡剤の添加位置について、図１〜３を参照して説明する。図１〜３において、同一機能を奏する部材には同一符号を付してある。Ｂは散気管、Ｍは浸漬膜である。
【００３０】
図１に示すように、活性汚泥槽１と膜浸漬活性汚泥槽２とを有し、原水が活性汚泥槽１から膜浸漬活性汚泥槽２に流入して順次処理され、処理水が膜浸漬活性汚泥槽２の浸漬膜Ｍで膜分離されて取り出されると共に、膜浸漬活性汚泥槽２から余剰汚泥が引き抜かれ、残部が返送汚泥として活性汚泥槽１に循環されるタイプの膜分離式好気性生物処理槽にあっては、発泡が起こり易い膜浸漬活性汚泥槽２にアルコール系自己乳化型消泡剤とアルコール系エマルション型消泡剤を添加することが好ましい。
【００３１】
図２に示すように、活性汚泥槽として活性汚泥槽１Ａと活性汚泥槽１Ｂとの２槽を設け、最後段に膜浸漬活性汚泥槽２を設けた構成の膜分離式好気性生物処理槽の場合は、２槽に１槽の割合で消泡剤を添加することが好ましく、例えば、図２に示すように、前段の活性汚泥槽１Ａと最後段の膜浸漬活性汚泥槽２とにそれぞれアルコール系自己乳化型消泡剤とアルコール系エマルション型消泡剤とを添加することが好ましい。
【００３２】
また、図３に示すように、前段に高負荷活性汚泥槽１Ｃを設ける場合は、この高負荷活性汚泥槽１Ｃと膜浸漬活性汚泥槽２とにアルコール系自己乳化型消泡剤及びアルコール系エマルション型消泡剤を添加することが好ましい。
【００３３】
このように２槽以上でアルコール系自己乳化型消泡剤とアルコール系エマルション型消泡剤を添加する場合、前段の槽で添加した消泡剤は前段の槽を通過し、後段の槽に蓄積するので、各槽合計の添加量が、前述の膜分離式好気性生物処理槽当たりの上限値以内に収まるように添加することとする。
【００３４】
＜膜分離式好気性生物処理の膜＞
界面活性剤由来の発泡が問題となりやすいのは、発泡成分が難分解性で、かつ、膜を透過しない場合である。従って、本発明におけるアルコール系自己乳化型消泡剤とアルコール系エマルション型消泡剤との併用の効果が有効に発揮されるのは、孔径がある程度小さい膜であり、孔径が大きい膜ではアルコール系エマルション型消泡剤を併用添加する必要性は低い。
【００３５】
この観点から、本発明で対象とする膜分離式好気性生物処理の膜としては、孔径が０．０１μｍ以上、０．１μｍ以下、特に０．０３μｍ以上、０．８μｍ以下のろ過膜が好ましい。孔径が上記上限より大きいものでは、アルコール系エマルション型消泡剤の併用の必要性は低く、孔径が上記下限より小さいものでは、本発明を適用しても膜閉塞を防止し得ない場合がある。
【実施例】
【００３６】
以下に実施例及び比較例を挙げて本発明をより具体的に説明する。
【００３７】
なお、用いた消泡剤の詳細は以下の通りである。
アルコール系自己乳化型消泡剤としては、消泡成分であるポリオキシエチレンポリオキシプロピレンモノステアリルエーテルを主成分とする高級アルコール系の消泡剤を調製して用いた。この消泡剤に含まれる消泡成分の濃度は２．３ｇ−ＣＯＤＣｒ／ｇであった。
アルコール系エマルション型消泡剤としては、高級アルコールとしてチーグラー法をベースとした高級アルコールを主成分とする混合物のＮＡＦＯＬ２０＋Ａ（サソール社製）を用いて調製されたＯ／Ｗ型エマルション構造の消泡剤を用いた。この消泡剤に含まれる消泡成分の濃度は０．６ｇ−ＣＯＤＣｒ／ｇであった。
【００３８】
［実施例１］
図１に示す膜式活性汚泥槽において、本発明による効果を実証する実験を行った。実験条件及び実験結果は以下の通りである。
【００３９】
＜実験条件＞
・各槽の容量：活性汚泥槽＝３Ｌ
膜浸漬活性汚泥槽＝３Ｌ
・原水：食品排水と洗浄排水の混合排水
ＣＯＤＣｒ＝３０００ｍｇ／Ｌ
ＢＯＤ＝２０００ｍｇ／Ｌ
・水量：３Ｌ／ｄ
・ＢＯＤ容積負荷：１ｋｇ／ｍ３／ｄ
・浸漬膜：孔径０．０５μｍのＰＶＤＦ（ポリフッ化ビニリデン）膜
・フラックス：０．４５ｍ／ｄ
・槽内汚泥平均濃度：５０００ｍｇ／Ｌ（＝５ｇ−ＳＳ／Ｌ）
・汚泥引き抜き量：０．２Ｌ／ｄ（＝０．０００２ｍ３／ｄ）
・アルコール系自己乳化型消泡剤の添加量：０．４６ｋｇ−ＣＯＤＣｒ／ｍ３−槽容積
・アルコール系自己乳化型消泡剤の薬注方法：上記添加量となるように４時間ごとに１０秒連続添加
・アルコール系エマルション型消泡剤の添加量：０．０４  ｋｇ−ＣＯＤＣｒ／ｍ３−槽容積
・アルコール系エマルション型消泡剤の薬注方法：発泡が抑制されていないと判定したときに消泡が確認されるまで上記添加量となるように１．５時間ごとに１０秒連続添加
【００４０】
＜実験結果＞
処理槽水面に発泡は殆どなく、処理水吸引時の差圧上昇も１０ｋＰａ以内で安定していた。
消泡剤の１日当たりの添加量は以下のとおりで、非常に少ない量で処理が可能となった。
・アルコール系自己乳化型消泡剤の添加量：０．０４ｇ／ｄ（＝０．０９２ｇ−ＣＯＤＣｒ／ｄ）
・アルコール系エマルション型消泡剤の添加量：０．０１３ｇ／ｄ（＝０．００８ｇ−ＣＯＤＣｒ／ｄ）
【００４１】
［比較例１］
実施例１において、アルコール系エマルション型消泡剤を添加せず、アルコール系自己乳化型消泡剤のみを４．５ｋｇ−ＣＯＤＣｒ／ｍ３−槽容積となるよう連続添加したこと以外は同様に実験を行った。
その結果、泡の漏洩はなかったが、処理槽水面は泡に覆われ、水面が確認できなかった。
処理水吸引時の差圧上昇は運転開始５日後で４０ｋＰａに達し、膜洗浄が必要となった。
アルコール系自己乳化型消泡剤の１日当たりの添加量は、０．３９ｇ／ｄで、実施例１のアルコール系自己乳化型消泡剤添加量の約１０倍となった。
【符号の説明】
【００４２】
１，１Ａ，１Ｂ  活性汚泥槽
１Ｃ  高負荷活性汚泥槽
２  膜浸漬活性汚泥槽
【図１】
2019181334.tif 000003
【図２】
2019181334.tif 000004
【図３】
2019181334.tif 000005